(57)【要約】【課題】文字を書きづらくすることなく、実際に文字を書きながら書き順を学習する。【解決手段】文字が記入される書き順学習用紙１０に、文字を構成する複数のストローク１１ａ〜１１ｃを、互いに異なる波長を有する光が照射された場合にのみ発色するインクでそれぞれ印字し、この書き順学習用紙１０に対して、文字の書き順に従って複数のストローク１１ａ〜１１ｃが順次発色するように、互いに異なる波長を有する光を所定時間毎に切り替えて照射する光照射装置２０を設け、実際に文字が記入される書き順学習用紙１０上にて文字の書き順を示していく。【選択図】図１
2008134412.tif 000002
【特許請求の範囲】
【請求項１】
一筆で描かれるストロークを複数有する文字の書き順を学習するための書き順学習ユニットであって、
前記複数のストロークが、互いに異なる波長を有する光が照射された場合にのみ発色するインクでそれぞれ印字され、前記文字が記入される文字記入媒体と、
前記文字記入媒体に対して、前記文字の書き順に従って前記複数のストロークが順次発色するように、互いに異なる波長を有する光を所定時間毎に切り替えて照射する光照射手段とを有する書き順学習ユニット。
【発明の詳細な説明】
【技術分野】
【０００１】
本発明は、漢字等の文字の書き順を学習するための書き順学習ユニットに関する。
【背景技術】
【０００２】
近年、パーソナルコンピュータやワードプロセッサ等の普及に伴い、キーボードに対してローマ字入力や仮名入力等の方法で所望の文字に対応するキーを押下することによって文字を特定し、文書を作成する場合が多くなってきている。このようなキーボードを用いた文字入力は、平仮名のみならず漢字にも利用されており、ローマ字あるいは仮名を入力して変換キーを押下することにより、その文字に対応する漢字が表示される。
【０００３】
このように、近年の文書作成においては、所望の文字に対応するキーを押下するだけでその文字の漢字が表示されることになるため、近年では、漢字を実際に手で書くという作業が少なくなり、それにより、漢字の書き順を忘れがちになっている。ところが、漢字の書き順は、漢字をバランスよく書くことができるとともに、ペンを合理的に動かすことができるためのものであり、軽視することができない。
【０００４】
そこで、漢字の書き順を学習するためのシステムが特許文献１，２に開示されている。これら特許文献１，２に開示されたシステムは、複数のドットが記載された用紙に電子ペンを用いて文字を書かせ、そのペンの軌跡を専用の装置等に送信し、書き順が正しいかどうかを判定するものである。書き順が正しいかどうかの判定結果や、正しい書き順は表示手段に表示される。このシステムを用いれば、電子ペンを用いて実際に書いた漢字の書き順が正しいかどうかを判断することができる。
【特許文献１】特開２００４−４５８４４号公報
【特許文献２】特開２００５−２２１５７６号公報
【発明の開示】
【発明が解決しようとする課題】
【０００５】
しかしながら、上述したような従来の書き順学習システムにおいては、実際に文字を書いた後にその書き順が正しいかどうかを判定するものであって、文字を書く前に正しい書き順を導くものではないため、実際に文字を書きながら書き順を学習することができないという問題点がある。
【０００６】
また、電子ペンを用いて専用の用紙に文字を書き、その書き順が正しいかどうか、また正しい書き順が表示手段に表示されるものであるため、正しい書き順が表示手段に表示された後にその書き順に従って文字を書く場合、文字を書く用紙と表示手段とを交互に見ながら文字を書かなければならず、文字が書きづらいという問題点がある。
【０００７】
本発明は、上述したような従来の技術が有する問題点に鑑みてなされたものであって、文字を書きづらくすることなく、実際に文字を書きながら書き順を学習することができる書き順学習用ユニットを提供することを目的とする。
【課題を解決するための手段】
【０００８】
上記目的を達成するために本発明は、
一筆で描かれるストロークを複数有する文字の書き順を学習するための書き順学習ユニットであって、
前記複数のストロークが、互いに異なる波長を有する光が照射された場合にのみ発色するインクでそれぞれ印字され、前記文字が記入される文字記入媒体と、
前記文字記入媒体に対して、前記文字の書き順に従って前記複数のストロークが順次発色するように、互いに異なる波長を有する光を所定時間毎に切り替えて照射する光照射手段とを有する。
【０００９】
上記のように構成された本発明においては、文字が記入される文字記入媒体に対して、光照射手段から光が所定時間毎に切り替えられて照射されると、この切り替えられる光は互いに波長が異なるものであって、また、文字記入媒体には、文字を構成する複数のストロークが、互いに異なる波長を有する光が照射された場合にのみ発色するインクでそれぞれ印字されているため、光照射手段から照射される光が切り替えられる度毎に、文字を構成する複数のストロークが１つずつ発色する。ここで、光照射手段においては、文字の書き順に従って複数のストロークが順次発色するように光が切り替られて照射されるので、光照射手段から照射される光が切り替えられる度毎に、文字を構成する複数のストロークがその文字の書き順に従って１つずつ発色することになる。そのため、その発色したストロークをペンでなぞっていくことにより、文字の書き順を学習することができる。
【００１０】
このように、実際に文字が記入される文字記入媒体上にて文字の書き順を示していくので、文字を書きづらくすることなく、実際に文字を書きながら書き順を学習することができる。
【発明の効果】
【００１１】
以上説明したように本発明においては、文字が記入される文字記入媒体に、文字を構成する複数のストロークが、互いに異なる波長を有する光が照射された場合にのみ発色するインクでそれぞれ印字され、この文字記入媒体に対して、文字の書き順に従って複数のストロークが順次発色するように、互いに異なる波長を有する光を所定時間毎に切り替えて照射する光照射手段を有し、実際に文字が記入される文字記入媒体上にて文字の書き順を示していく構成としたため、文字を書きづらくすることなく、実際に文字を書きながら書き順を学習することができる。
【発明を実施するための最良の形態】
【００１２】
以下に、本発明の実施の形態について図面を参照して説明する。
【００１３】
図１は、本発明の書き順学習ユニットの実施の一形態を示す図であり、（ａ）は全体の構成を示す図、（ｂ）は（ａ）に示した光照射装置２０の構成を示すブロック図である。
【００１４】
本形態は図１（ａ）に示すように、書き順を学習する文字が記入される文字記入媒体である書き順学習用紙１０と、書き順学習用紙１０に対して光を照射する光照射装置２０とから構成されている。
【００１５】
書き順学習用紙１０には、書き順を学習する文字が、特定の波長を有する光が照射された場合にのみ発色するインクで印字されており、本形態においては「女」という文字が印字されている。「女」という文字は、それぞれが一筆で描かれる、第１ストローク１１ａ、第２ストローク１１ｂ及び第３ストローク１１ｃからなり、第１ストローク１１ａ、第２ストローク１１ｂ及び第３ストローク１１ｃ毎に、互いに異なる波長を有する光が照射された場合にのみ発色するインクで印字されている。また、書き順学習用紙１０には、その端部に、印字された文字「女」を特定可能な文字ＩＤ１２「Ａ１２３４」が視認可能なインクで印字されている。
【００１６】
光照射装置２０は図１（ｂ）に示すように、互いに異なる波長を有する光を照射する複数のランプ部２１−１〜２１−ｎと、ランプ部２１−１〜２１−ｎのうち光を照射するランプ部を切り替える照射切替部２２と、電源部２３と、タイマ２４と、操作部２５と、メモリ２６とから構成されている。
【００１７】
タイマ２４は、ランプ部２１−１〜２１−ｎのそれぞれから光が照射されてからの時間を計測するためのものであって、計測された時間は照射切替部２２に通知される。
【００１８】
操作部２５は、書き順学習用紙１０に印字された文字ＩＤ１２を入力するためのものであって、例えば、キーボタン等からなる。また、書き順学習用紙１０に文字ＩＤ１２がバーコードで印字され、バーコードリーダーをこの操作部２５として用いることも考えられる。
【００１９】
メモリ２６には、書き順学習用紙１０に印字された文字ＩＤ１２に対応づけて、複数のランプ部２１−１〜２１−ｎのうちどのランプ部をどの順序で照射するかが記憶されている。例えば、図１（ａ）に示したものにおいては、「女」という文字が、その書き順毎に、第１ストローク１１ａ、第２ストローク１１ｂ及び第３ストローク１１ｃから構成されており、まず、第１ストローク１１ａが発色するようにランプ部２１−１を照射し、次に、第２ストローク１１ｂが発色するようにランプ部２１−２を照射し、その後、第３ストローク１１ｃが発色するようにランプ部２１−３を照射するという順序が、書き順学習用紙１０に印字された文字ＩＤ１２「Ａ１２３４」に対応づけて記憶されている。これは、ランプ部２１−１〜２１−ｎ及び書き順学習用紙１０にストロークを印字するためのインクにそれぞれ付与された発色ＩＤによって、光を照射するランプ部及びその照射順序が特定されており、その詳細は後述する。
【００２０】
照射切替部２２は、メモリ２６を参照し、操作部２５を介して入力された文字ＩＤ１２に対応する順序で、タイマから通知される計測時間に基づいて所定時間毎にランプ部２１−１〜２１−ｎからの光の照射を切り替える。
【００２１】
以下に、上述した書き順学習用紙１０の作製方法について説明する。
【００２２】
図２は、図１に示した書き順学習用紙１０の作製方法を説明するためのフローチャートである。
【００２３】
図１に示した書き順学習用紙１０を作製する場合は、まず、書き順学習用紙１０に印字する文字をパーソナルコンピュータ等の情報処理装置（不図示）に入力し、画面上に表示させる（ステップＳ１）。
【００２４】
次に、情報処理装置の画面上に表示された文字を構成する複数のストロークのうち、１つのストロークをクリックすることによって指定し（ステップＳ２）、さらに、書き順学習用紙１０にそのストロークを印字するためのインクを指定する（ステップＳ３）。
【００２５】
そして、情報処理装置の画面上に表示された文字を構成する全てのストロークについて上述した処理を行う（ステップＳ４）。
【００２６】
この一連の処理は、情報処理装置にインストールされた書き順学習用紙１０作製用プログラムによって行われる。このプログラムにおいては、書き順学習用紙１０に印字する文字が情報処理装置に入力されると、まず、入力された文字を、その文字を構成するストロークが指定可能となるように画面上に表示する。そして、ストロークが指定されると、次に、書き順学習用紙１０にそのストロークを印字するためのインクを指定可能な画面を表示し、インクの指定を受け付ける。このインクを指定可能な画面は、互いに異なる特定の波長を有する光が照射された場合にのみ発色するインクが複数表示され、その中からインクを指定可能とするものであって、一度指定されたインクは指定不可能となる。それにより、情報処理装置の画面上に表示された文字を構成する複数のストロークについて、互いに異なる波長を有する光が照射された場合にのみ発色するインクで印字することが指定されることになる。また、画面上に表示されるインクにおいては、光照射装置２０のランプ部２１−１〜２１−２１−ｎのうちどのランプ部から照射された光によって発色するかを特定するために発色ＩＤがそれぞれ付与されている。
【００２７】
情報処理装置の画面上に表示された文字を構成する全てのストロークについて上述した処理が行われると、指定されたストローク及びそのストロークを印字するためのインクを含む印字データがその文字に対応する文字ＩＤが付与されてプリンタ（不図示）に送信される（ステップＳ５）。
【００２８】
そして、プリンタにおいて、情報処理装置から送信されてきた印字データに従って、書き順を学習する文字及び文字ＩＤ１２が書き順学習用紙１０に印字される（ステップＳ６）。これにより、書き順学習用紙１０に印字される文字を構成する複数のストロークは、互いに異なる波長を有する光が照射された場合にのみ発色するインクで印字されることになる。
【００２９】
また、情報処理装置においては、ステップＳ１にて入力された文字の書き順がデータベース（不図示）を参照することにより判断され、ストローク毎に指定されたインクに付与された発色ＩＤが書き順に従った順序が付与された状態で、文字ＩＤととともに、通信回線あるいは磁気記録媒体等を介して光照射装置２０に与えられる。例えば、図１（ａ）に示したものにおいては、第１ストローク１１ａを印字するためのインクとして発色ＩＤ「０００１」のインクが指定され、第２ストローク１１ｂを印字するためのインクとして発色ＩＤ「０００２」のインクが指定され、第３ストローク１１ｃを印字するためのインクとして発色ＩＤ「０００３」のインクが指定されたとすると、文字ＩＤ「Ａ１２３４」に発色ＩＤが「０００１」，「０００２」，「０００３」の順序で付与されて光照射装置２０に与えられる。
【００３０】
光照射装置２０においては、与えられた発色ＩＤと文字ＩＤとが対応づけてメモリ２６に記憶される。ここで、光照射装置２０のランプ部２１−１〜２１−２１−ｎのそれぞれには、ランプ部２１−１〜２１−２１−ｎからそれぞれ照射される光の波長によって発色するインクに付与された発色ＩＤと同一の発色ＩＤが付与されている。例えば、本形態においては、図１に示したランプ部２１−１〜２１−２１−３に、発色ＩＤ「０００１」，「０００２」，「０００３」がそれぞれ付与されているものとする。そのため、発色ＩＤが書き順に従った順序が付与された状態で与えられると、その発色ＩＤが付与されたランプ部からその発色ＩＤの順序で書き順学習用紙１０に光を照射すれば、書き順学習用紙１０に印字されたストロークが文字の書き順に従って順次発色することになる。
【００３１】
以下に、上述した書き順学習ユニットの動作について説明する。
【００３２】
図３は、図１に示した書き順学習ユニットの動作を説明するためのフローチャートであり、図４は、図１に示した書き順学習用紙１０の状態を示す図である。
【００３３】
光照射装置２０の操作部２５に対して、書き順学習用紙１０に印字された文字ＩＤ１２「Ａ１２３４」が入力されると（ステップＳ１１）、まず、照射切替部２２において、メモリ２６が参照され、入力された文字ＩＤ１２「Ａ１２３４」に対応づけられた発色ＩＤが検索される。図１（ａ）に示したものにおいては、「女」という文字が、その書き順毎に、第１ストローク１１ａ、第２ストローク１１ｂ及び第３ストローク１１ｃから構成されており、上述したように例えば、第１ストローク１１ａを印字するためのインクとして発色ＩＤ「０００１」のインクが指定され、第２ストローク１１ｂを印字するためのインクとして発色ＩＤ「０００２」のインクが指定され、第３ストローク１１ｃを印字するためのインクとして発色ＩＤ「０００３」のインクが指定されたとすると、メモリ２６には、文字ＩＤ「Ａ１２３４」に発色ＩＤが「０００１」，「０００２」，「０００３」の順序で記憶されており、発色ＩＤが「０００１」，「０００２」，「０００３」の順序で検索される。
【００３４】
照射切替部２２においては、発色ＩＤとして「０００１」が検索されると、ランプ部２１−１〜２１−ｎのうちこの発色ＩＤ「０００１」が付与されたランプ部２１−１から光が照射されるような制御が行われ、ランプ部２１−１から光が照射される（ステップＳ１２）。
【００３５】
すると、図４（ａ）に示すように、書き順学習用紙１０に印字された第１ストローク１１ａ、第２ストローク１１ｂ及び第３ストローク１１ｃのうち、ランプ部２１−１に付与された発色ＩＤ「０００１」が付与されたインクによって印字された第１ストローク１１ａが発色する。これは、第１ストローク１１ａを印字したインクが、ランプ部２１−１から照射された光によってのみ発色するものであって、上述したように発色ＩＤを用いてその対応づけが行われているためである。
【００３６】
そして、図４（ｂ）に示すように、この発色した第１ストローク１１ａをペンでなぞることにより第１ストローク１１ａを記入する。
【００３７】
照射切替部２２においては、タイマ２４が参照され、ランプ部２１−１から光が照射されてから予め設定された時間が経過すると（ステップＳ１３）、次に、メモリ２６から検索された発色ＩＤ「０００２」が付与されたランプ部２１−２から光が照射されるような制御が行われ、ランプ部２１−２から光が照射される（ステップＳ１４）。
【００３８】
すると、図４（ｃ）に示すように、書き順学習用紙１０に印字された第１ストローク１１ａ、第２ストローク１１ｂ及び第３ストローク１１ｃのうち、ランプ部２１−２に付与された発色ＩＤ「０００２」が付与されたインクによって印字された第２ストローク１１ｂが発色する。これは、第２ストローク１１ｂを印字したインクが、ランプ部２１−２から照射された光によってのみ発色するものであって、上述したように発色ＩＤを用いてその対応づけが行われているためである。
【００３９】
そして、図４（ｄ）に示すように、この発色した第２ストローク１１ｂをペンでなぞることにより第２ストローク１１ｂを記入する。
【００４０】
照射切替部２２においては、タイマ２４が参照され、ランプ部２１−２から光が照射されてから予め設定された時間が経過すると（ステップＳ１５）、ステップＳ１１にて入力された文字ＩＤによって特定される文字について、ランプ部２１−１〜２１−ｎからの光の照射によって書き順学習用紙１０上に発色したストロークに続くストロークが存在するかどうかが、ステップＳ１１にて入力された文字ＩＤについてメモリ２６から検索され、ランプ部から光が照射されていない発色ＩＤがあるかどうかによって確認され（ステップＳ１６）、ステップＳ１１にて入力された文字ＩＤによって特定される文字について、ランプ部２１−１〜２１−ｎからの光の照射によって書き順学習用紙１０上に発色したストロークに続くストロークが存在する場合、その発色ＩＤが付与されたランプ部から光が照射されるような制御が行われる。本形態においては、メモリ２６から検索された発色ＩＤ「０００１」，「０００２」，「０００３」のうち発色ＩＤ「０００３」が付与されたランプ部２１−３から光がまだ照射されていないため、メモリ２６から検索された発色ＩＤ「０００３」が付与されたランプ部２１−３から光が照射されるような制御が行われ、ランプ部２１−３から光が照射される（ステップＳ１７）。
【００４１】
すると、図４（ｅ）に示すように、書き順学習用紙１０に印字された第１ストローク１１ａ、第２ストローク１１ｂ及び第３ストローク１１ｃのうち、ランプ部２１−３に付与された発色ＩＤ「０００３」が付与されたインクによって印字された第３ストローク１１ｃが発色する。これは、第３ストローク１１ｃを印字したインクが、ランプ部２１−３から照射された光によってのみ発色するものであって、上述したように発色ＩＤを用いてその対応づけが行われているためである。
【００４２】
そして、図４（ｆ）に示すように、この発色した第３ストローク１１ｃをペンでなぞることにより第３ストローク１１ｃを記入する。
【００４３】
また、ステップＳ１１にて入力された文字ＩＤによって特定される文字について、ランプ部２１−１〜２１−ｎからの光の照射によって書き順学習用紙１０上に発色したストロークに続くストロークが存在しない場合は、処理を終了する（ステップＳ１８）。
【００４４】
照射切替部２２においては、タイマ２４が参照され、ランプ部２１−３から光が照射されてから予め設定された時間が経過すると（ステップＳ１９）、ステップＳ１１にて入力された文字ＩＤによって特定される文字について、ランプ部２１−１〜２１−ｎからの光の照射によって書き順学習用紙１０上に発色したストロークに続くストロークが存在するかどうかが、ステップＳ１１にて入力された文字ＩＤについてメモリ２６から検索され、ランプ部から光が照射されていない発色ＩＤがあるかどうかによって確認され（ステップＳ２０）、ステップＳ１１にて入力された文字ＩＤによって特定される文字について、ランプ部２１−１〜２１−ｎからの光の照射によって書き順学習用紙１０上に発色したストロークに続くストロークが存在する場合、その発色ＩＤが付与されたランプ部から光が照射されるような制御が行われ、ランプ部から書き順学習用紙１０に対して光が照射される（ステップＳ２１）。
【００４５】
このようにして、ステップＳ１１にて入力された文字ＩＤによって特定される文字について、ランプ部２１−１〜２１−ｎからの光の照射によって書き順学習用紙１０上に発色したストロークに続くストロークがなくなるまで上述した処理を繰り返し行うことにより、ステップＳ１１にて入力された文字ＩＤによって特定される文字について、その書き順に従って文字を構成するストロークを順次発色させ、文字を記入する書き順学習用紙１０上に文字の書き順を示していくことになる。
【００４６】
上述したように本形態においては、実際に文字が記入される書き順学習用紙１０上にて、その文字の書き順に従って文字を構成するストロークを順次発色させることによって文字の書き順を示していくので、文字を書きづらくすることなく、実際に文字を書きながら書き順を覚えることができる。
【００４７】
なお、本形態においては、書き順を学習する文字として複数のストロークからなる文字を対象としているため、図３に示したステップＳ１３にて所定の時間が経過した後に第２ストローク用のランプを照射しているが、１画の文字にも対応できるように、図３に示したステップＳ１３にて所定の時間が経過した後に、ステップＳ１６のように、次のストローク、すなわち第２ストロークが存在するかどうかを確認する処理を設け、第２ストロークが存在することが確認された場合に第２ストローク用のランプを照射するような構成とすることも可能である。
【００４８】
また、本形態においては、書き順を学習する文字として漢字を例に挙げて説明したが、平仮名や片仮名、ローマ字等の書き順を学習するためのものとしても本発明を利用することができる。
【００４９】
また、本形態においては、文字を記入するための文字記入媒体として、紙からなる書き順学習用紙１０を例に挙げて説明したが、本発明における文字記入媒体は、文字を構成するストロークを予め印字可能であり、かつ、文字を記入することができるものであれば、用紙形態のものや紙からなるものに限らない。
【図面の簡単な説明】
【００５０】
【図１】本発明の書き順学習ユニットの実施の一形態を示す図であり、（ａ）は全体の構成を示す図、（ｂ）は（ａ）に示した光照射装置の構成を示すブロック図である。
【図２】図１に示した書き順学習用紙の作製方法を説明するためのフローチャートである。
【図３】図１に示した書き順学習ユニットの動作を説明するためのフローチャートである。
【図４】図１に示した書き順学習用紙の状態を示す図である。
【符号の説明】
【００５１】
１０    書き順学習用紙
１１ａ    第１ストローク
１１ｂ    第２ストローク
１１ｃ    第３ストローク
１２    文字ＩＤ
２０    光照射装置
２１−１〜２１−ｎ    ランプ部
２２    照射切替部
２３    電源部
２４    タイマ
２５    操作部
２６    メモリ
【図１】
2008134412.tif 000003
【図２】
2008134412.tif 000004
【図３】
2008134412.tif 000005
【図４】
2008134412.tif 000006